(57)【要約】      （修正有）【課題】昼間に飛行する昼光性害虫の飛行を攪乱する方法と昼光性害虫用飛行攪乱装置を提供する。【解決手段】昼間に、ＵＶＣ、ＵＶＢ、ＵＶＡの範囲（２００〜３８０ｎｍ）の波長成分の近紫外線を含む光を、昆虫が飛行する下面から放出する装置１及び２を備えている。装置１，２から放出される光を昆虫の下方面位置から上方面に向けて照射することにより，昼間に飛行する昆虫の飛行を攪乱することができる。【選択図】図１
2011212006.tif 000002
【特許請求の範囲】
【請求項１】
ＵＶＣの範囲（２００〜２８０ｎｍ）の波長成分の近紫外線を含む光を、昼間に飛行する昆虫の下方面から照射することにより、昆虫の飛行を攪乱することを特徴とする昆虫抑制方法。
【請求項２】
ＵＶＢの範囲（２８０〜３１５ｎｍ）の波長成分の近紫外線を含む光を、昼間に飛行する昆虫の下方面から照射することにより、昆虫の飛行を攪乱することを特徴とする昆虫抑制方法。
【請求項３】
ＵＶＡの範囲（３１５〜４００ｎｍ）の波長成分の近紫外線を含む光を、昼間に飛行する昆虫の下方面から照射することにより、昆虫の飛行を攪乱することを特徴とする昆虫抑制方法。
【請求項４】
前記請求項１〜３記載のいずれかの波長成分を含む光を放出する光源を用いて、昼間に飛行する昆虫の下方面から照射して昆虫の飛行を攪乱して昆虫を抑制する方法。
【請求項５】
光源の下面に反射板を備え、光源の背面方向に光が放出することを防止するよう制御されることを特徴とする昆虫飛行攪乱用照明装置。
【請求項６】
光源の下面に反射板を備え、光源を背面の反射板に当て、その反射光を放出することを特徴とする昆虫飛行攪乱用照明装置。
【請求項７】
前記請求項１〜３記載のいずれかの波長成分を含む光を放出する光源を備えていることを特徴とする、昼行性昆虫の飛行攪乱装置。
【請求項８】
前記請求項６〜７記載のいずれかの構造を有することを特徴とする、昼行性昆虫の飛行攪乱装置。
【発明の詳細な説明】
【技術分野】
【０００１】本発明は、農作物等を加害する昼行性昆虫の飛行を攪乱させる方法及びこれを用いる昼行性昆虫の飛行攪乱装置に関するものである。
【技術背景】
【０００２】従来、農業用のビニールハウスまたはガラスハウスなどの施設栽培あるいは露地栽培等で、野菜や花きなどを栽培する際に発生する昼行性昆虫であるタバココナジラミなどの害虫が問題視されている。
【０００３】通常、このような害虫が発生した場合は、殺虫剤による対処を行うが、殺虫剤抵抗性害虫の発生から効果が不確実になっている。
【０００４】殺虫剤によらない方法では、施設開口部に細かい網目の防虫網を展張し、施設外からの侵入をする方法も行われているが、施設内の温度上昇が問題とされ、これに代わる手法がもとめられている。
【０００５】従来、夜行性の昆虫を誘引する波長、例えば近紫外線を含む波長成分の光を夜間に照射して誘引し、結果として、農業害虫の内夜行性害虫を防除することが行われているが、昼行性の昆虫を光で誘引する方法は見あたらない（非特許文献２）。
【０００６】また、夜行性の昆虫を忌避する波長、例えば、特許第３０５７１２７号広報（特許文献１）や非特許文献１にある黄色域の波長を含む波長成分の光を夜間に照射し、結果として、農業害虫の内夜行性害虫を防除することとなっていた。
【０００７】光を用いた他の防除方法としては、農産物の表層部に存在する害虫を、例えば、特開２００４−２７５１５３号広報（特許文献２）のような近赤外域のランプを用いた熱線照射し、結果として、農産物の表層部に存在する害虫を防除することとなっていた。
【０００８】また、植物病害を防除する方法として、例えば、特開２００５−３２８７３４号広報（特許文献４）および特開２００９−２２１７５号広報（特許文献７）のように近紫外線を含む波長成分の光を植物体に照射して糸状菌を成長を抑制し、結果として、植物病害を防除することとなっていた。
【先行技術文献】
【特許文献】
【０００９】
【特許文献１】  特許第３０５７１２７号広報
【特許文献２】  特開２００４−２７５１５３号広報
【特許文献３】  特開２００５−１５１８６８号広報
【特許文献４】  特開２００５−３２８７３４号広報
【特許文献５】  特開２００７−１４３４２９号広報
【特許文献６】  特開２００８−１５４５４１号広報
【特許文献７】  特開２００９−２２１７５号広報
【非特許文献】
【００１０】
【非特許文献１】  後閑暢夫（２００３）農業電化５６号：９−１６．
【非特許文献１】  松本義明（１９９８）植物防疫５２巻：７７−８２．
【発明の開示】
【発明が解決しようとする課題】
【００１１】ところで、野菜や花きなどを栽培する際に発生するタバココナジラミはトマトにトマト黄化葉巻病ウイルスを媒介し問題になっている。一方、タバココナジラミは殺虫剤に抵抗性を示すものが多く、殺虫剤による防除が困難となっている。そのため、殺虫剤によらない防除方法がもとめられているが、タバココナジラミのハウス内への侵入を阻止できる０．４ｍｍ目の防虫網の天窓などへの展張は、ハウス内の温度が上昇し問題を生じる【００１２】本発明は、上記課題を解決するために行われたものであり、特定の光による昼光性害虫の飛行攪乱方法とこれを照射する昼光性害虫用飛行攪乱装置を提供することを目的とする。
【発明が解決するための手段】
【００１３】上記問題点を解決するため、本発明は、近紫外線を昼間に飛行する昼行性昆虫の下面から照射することにより、昼間に飛行する昆虫の飛行を攪乱することにより、これらの昆虫を抑制するものでる。
【００１４】ＵＶＣ、ＵＶＢ、ＵＶＡの範囲の波長成分を放出する光源を、反射板の上に設置して、天窓などに設置した装置１から放出される光が人の目に入らないようにしている。
【００１５】装置１の光源としてはブラックライト、ＵＶＢ照射光源、殺菌灯などのＵＶＣ照射光源などがある。
【００１６】装置２では、ＵＶＣ、ＵＶＢ、ＵＶＡの範囲の波長成分を放出する光源を、反射板の上に設置して、光を反射板に向けて下方向に放出する光源を備えていて、光源から放出される光を反射板に当て、その反射光を昆虫の下方面位置から上方面に向けて照射することにより、昼間に飛行する昆虫の飛行を攪乱することができる。
【００１７】装置２の光源としてはフラッシュランプ及びＵＶ照射ＬＥＤランプなどがある。
【発明の効果】
【００１８】上記目的を達成するために請求項１の発明は、ＵＶＣ範囲（２００〜２８０ｎｍ）の紫外線を含む波長成分の光を放出するものである。この光源では、夜行性の昆虫を誘引することなく、昼間に飛ぶ昼行性昆虫の飛行を攪乱することができる。
【００１９】請求項２の発明は、ＵＶＢの範囲（２８０〜３１５ｎｍ）の紫外線を含む波長成分の光を放出するものである。この光源では、夜行性の昆虫を誘引することなく、昼間に飛ぶ昼行性昆虫の飛行を攪乱することができる。
【００２０】請求項３の発明は、ＵＶＡの範囲（３１５〜４００ｎｍ）の紫外線を含む波長成分の光を放出するものである。この光源では、夜行性の昆虫を誘引してしまう。
【００２１】請求項４の発明は、ＵＶＣ、ＵＶＢおよびＵＶＡ（２００〜４００ｎｍ）の波長成分の近紫外線を含むいずれかの光を放出を放出して、ハウス天窓などの下方面から開口部に向けて照射し、ハウス内に進入する昼行性昆虫の飛行を攪乱して進入を抑制できる。
【発明を実施するための最良の形態】
【００２２】次に、実施の形態について説明する。本発明に係る昼行性害虫の飛行攪乱方法は、トマトを加害するタバココナジラミに限らず、ザミウマ類及びハモグリバエ類等の昼行性昆虫の飛行攪乱にも適用できるが、本実施の形態では、昼行性昆虫としてタバココナジラミを対象ととした飛行攪乱方法について説明する。【００２３】本実施の形態に係るタバココナジラミついて説明する。本発明に係る昼行性害虫の飛行攪乱方法は、トマトを加害する飛行攪乱方法は、具体的にはトマトハウスの天窓などの開口部であり、天窓からの侵入阻止を確認するために行った実験について説明する。
【実施例１】
【００２４】まず、一辺が９０ｃｍのサイコロ状の立方体の横四面をビニルで塞ぎ、上の開口部のみから内部に侵入できる装置を用いて試験を行った。この開口部下３０ｃｍの位置に、３１５ｎｍ以上の近紫外線を含む光を照射するフラッシュランプを設置したもの、このフラッシュランプと開口部に風の通りが比較的良い１．０ｍｍ目の防虫網を展張を組み合わせたもの、開口部に０．４ｍｍ目の防虫網を展張したものを、なにも設置しない対照区と比較した。【００２６】試験結果を、図３に示す。侵入を阻止できる効果を対照区に対する割合で示したところ、フラッシュランプ設置区は７８．７％の阻止率、開口部に０．４ｍｍ目の防虫網を展張した区は９９．９％の阻止率、フラッシュランプと開口部１．０ｍｍ目の防虫網を展張を組み合わせ区は９６．９％の阻止率で、３１５ｎｍ以上の近紫外線を含む光を照射するフラッシュランプは一定のタバココナジラミに対する侵入阻止効果が認められた。
【実施例２】
【００２７】上記と同様に、一辺が９０ｃｍのサイコロ状の立方体の横四面をビニルで塞ぎ、上の開口部のみから内部に侵入できる装置を用いて試験を行った。この開口部下３０ｃｍの位置に、３１５ｎｍ以上の近紫外線を含む光を照射するフラッシュランプを設置したもの、２５２ｎｍの近紫外線ＵＶＣを含む光を照射するＵＶＣランプ、ＵＶＡの波長域を含むブラックライトのＵＶＣランプを、なにも設置しない対照区と比較した。【００２８】試験結果を、図４に示す。侵入を阻止できる効果を対照区に対する割合で示したところ、３１５ｎｍ以上の近紫外線を含む光を照射するフラッシュランプを設置した区は９４．８％の阻止率、ＵＶＣランプ区は９３．１％の阻止率、ＵＶＡランプ区は８１．３％の阻止率で、いずれも高いタバココナジラミの侵入阻止効果を示した。
【実施例３】
【００２９】上記と同様に、一辺が９０ｃｍのサイコロ状の立方体の横四面をビニルで塞ぎ、上の開口部のみから内部に侵入できる装置を用いて試験を行った。この開口部下３０ｃｍの位置に、ＵＶＢランプ、ＵＶＣランプ、ＵＶＡランプ、ＵＶＡ域の紫外線域を含むＬＥＤランプを設置したものを、になにも設置しない対照区をもうけて比較した。【００３０】試験結果を、図５に示す。侵入を阻止できる効果を対照区に対する割合で示したところ、ＵＶＢ区は７７．６％の阻止率、ＵＶＣ区は７８．２％の阻止率、ＵＶＡ区は５０．５％の阻止率、ＬＥＤ（ＵＶＡ）区は５６．７％の阻止率で一定の侵入阻止効果を示した。
【発明の効果】
【００３１】以上説明したとおり、本発明を用いることによって、昼間に飛行する昼行性の昆虫の飛行を攪乱し、ハウス等の施設内への侵入を阻止することができる。
【００３１】したがって、従来行われていた０．４ｍｍ目の防虫網の天窓部への展張に加えて、殺虫剤によらないタバココナジラミの防除方法が可能となる。
【００３１】この発明を利用することによって、ハウス内で作業する農作物生産者の疲労や農作物の品質の低下を軽減することが可能になった。
【図面の簡単な説明】
【図１】  光源が円筒管上の場合の反射板との位置関係を示す図である。〔符号の説明〕ＵＶＣ、ＵＶＢ、ＵＶＡの範囲の波長成分を放出する光源を、反射板の上に設置して、光を上方向に放出する光源１を備えている。光源１から放出される光を昆虫の下方面位置から上方面に向けて照射することにより、昼間に飛行する昆虫の飛行を攪乱することができる。１の光源としてはブラックライト、ＵＶＢ照射光源、殺菌灯などのＵＶＣ照射光源などがある。
【図２】  光源をフラッシュランプ及びＵＶ照射ＬＥＤランプなど照射範囲が限られている光源の場合の反射板との位置関係を示す図である。〔符号の説明〕ＵＶＣ、ＵＶＢ、ＵＶＡの範囲の波長成分を放出する光源を、反射板の上に設置して、光を反射板に向けて下方向に放出する光源２を備えている。光源２から放出される光を反射板に当て、その反射光を昆虫の下方面位置から上方面に向けて照射することにより、昼間に飛行する昆虫の飛行を攪乱することができる。２の光源としてはフラッシュランプ及びＵＶ照射ＬＥＤランプなどがある。
【図３】  フラッシュランプ、開口部に０．４ｍｍ目の防虫網を展張、フラッシュランプと開口部１．０ｍｍ目の防虫網を展張を組み合わせもののタバココナジラミに対する侵入阻止効果の結果を示す図である。〔符号の説明〕侵入を阻止できる効果を対照区に対する割合で示したところ、フラッシュランプ設置区は７８．７％の阻止率、開口部に０．４ｍｍ目の防虫網を展張した区は９９．９％の阻止率、フラッシュランプと開口部１．０ｍｍ目の防虫網を展張を組み合わせ区は９６．９％の阻止率で、３１５ｎｍ以上の近紫外線を含む光を照射するフラッシュランプは一定のタバココナジラミに対する侵入阻止効果をしめす。
【図４】  フラッシュランプ、ＵＶＣランプ、ＵＶＡランプのタバココナジラミに対する侵入阻止効果の結果を示す図である。〔符号の説明〕侵入を阻止できる効果を対照区に対する割合で示したところ、３１５ｎｍ以上の近紫外線を含む光を照射するフラッシュランプを設置した区は９４．８％の阻止率、ＵＶＣランプ区は９３．１％の阻止率、ＵＶＡランプ区は８１．３％の阻止率で、いずれも高いタバココナジラミの侵入阻止効果を示した。
【図５】  ＵＶＢ、ＵＶＣランプ、ＵＶＡランプ、ＬＥＤ（ＵＶＡ）のタバココナジラミに対する侵入阻止効果の結果を示す図である。〔符号の説明〕侵入を阻止できる効果を対照区に対する割合で示したところ、ＵＶＢ区は７７．６％の阻止率、ＵＶＣ区は７８．２％の阻止率、ＵＶＡ区は５０．５％の阻止率、ＬＥＤ（ＵＶＡ）区は５６．７％の阻止率で一定の侵入阻止効果を示した。
【図１】
2011212006.tif 000003
【図２】
2011212006.tif 000004
【図３】
2011212006.tif 000005
【図４】
2011212006.tif 000006
【図５】
2011212006.tif 000007